(57)【要約】受信機の信号対雑音比を調節する方法は、ＲＦ信号のピークパワーを測定し、測定されたピークパワーに基づいて、ＲＦ信号のパワーが所望の動作レンジにあるかを判定することを含む。本方法は、ＲＦ信号のパワーが所望の動作レンジにないと判定されたとき、受信機のＲＦ減衰を調節することをさらに含む。本方法は、ＩＦ信号のピークパワーを測定し、測定されたピークパワーに基づいて、ＩＦ信号のパワーが所望の動作レンジにあるかを判定し、ＩＦ信号のピークパワーが所望の動作レンジにないと判定されたとき、受信機のＩＦ減衰を調節することを更に含む。
2009512273.tif 000002
【特許請求の範囲】
【請求項１】
受信機の信号対雑音比を調節する方法であって、
ＲＦ信号のピークパワーを測定するステップと、
測定されたピークパワーに基づいて、前記ＲＦ信号のパワーが所望の動作レンジにあるかを判定するステップと、
前記ＲＦ信号のパワーが所望の動作レンジにないと判定されたとき、前記受信機のＲＦ減衰を調節するステップと、
ＩＦ信号のピークパワーを測定するステップと、
測定されたピークパワーに基づいて、前記ＩＦ信号のパワーが所望の動作レンジにあるかを判定するステップと、
前記ＩＦ信号のパワーが所望の動作レンジにないと判定されたとき、前記受信機のＩＦ減衰を調節するステップと、
を含む方法。
【請求項２】
前記ＲＦ信号のパワーが所望の動作レンジにあるかを判定するステップは、
前記測定されたピークパワーに基づいて、前記ＲＦ信号のパワーが閾値を超えるかを判定し、前記閾値を超える前記ＲＦ信号のパワーのＲＦ減衰を低減するステップを含む、
請求項１記載の方法。
【請求項３】
前記ＲＦ信号のパワーが所望の動作レンジにあるかを判定するステップは、
前記測定されたピークパワーに基づいて、前記ＲＦ信号のパワーが閾値を下回るかを判定し、前記閾値を下回る前記ＲＦ信号のパワーのＲＦ減衰を増加するステップを含む、
請求項１記載の方法。
【請求項４】
前記ＩＦ信号のパワーが所望の動作レンジにあるかを判定するステップは、
前記測定されたピークパワーに基づいて、前記ＩＦ信号のパワーが閾値を超えるかを判定し、前記閾値を超える前記ＩＦ信号のパワーのＩＦ減衰を低減するステップを含む、
請求項１記載の方法。
【請求項５】
前記ＩＦ信号のパワーが所望の動作レンジにあるかを判定するステップは、
前記測定されたピークパワーに基づいて、前記ＩＦ信号のパワーが閾値を下回るかを判定し、前記閾値を下回る前記ＩＦ信号のパワーのＩＦ減衰を増加するステップを含む、
請求項１記載の方法。
【請求項６】
前記ＲＦ減衰又はＩＦ減衰が調節されたときは何時でも、受信機の出力がフルスケールであることを保証するため、前記出力での信号利得を調節するステップを更に含む、
請求項１記載の方法。
【請求項７】
前記受信機がハイパワーモードにあるか、ロウパワーモードにあるかを判定するステップと、前記受信機がハイパワーモードにあるか、又はロウパワーモードにあるかに基づいて、前記ＲＦ信号のパワー及び前記ＩＦ信号のパワーが所望の動作レンジにあるかを判定するために使用される閾値を調節するステップを更に含む、
請求項１記載の方法。
【請求項８】
前記受信機がハイパワーモードにあるか、ロウパワーモードにあるかを判定するステップは、信号のピークパワーを測定し、測定された信号のピークパワーを閾値に比較するステップを含む、
請求項７記載の方法。
【請求項９】
前記受信機がハイパワーモードにあるか、ロウパワーモードにあるかを判定するステップは、Ｕ／Ｄ比を判定し、判定されたＵ／Ｄが０ｄＢ以下であるか、０ｄＢに等しい場合に、前記受信機がロウパワーモードにあると判定するステップを含む、
請求項８記載の方法。
【請求項１０】
前記ＲＦ信号のパワーが所望の動作レンジにあるかを判定するステップは、ＲＦミキサが飽和状態にあるかを判定するステップを含み、
前記ＲＦ信号のピークパワーが所望の動作レンジにないと判定されたときに、前記受信機のＲＦ減衰を調節するステップは、ＲＦミキサが飽和されていないか、圧縮をはるかに下回ると判定されたときに前記ＲＦ減衰を低下するステップを含む、
請求項１記載の方法。
【請求項１１】
前記ＲＦ信号のパワーが所望の動作レンジにあるかを判定するステップは、ＩＦミキサが飽和状態にあるかを判定するステップを含み、
前記ＩＦ信号のピークパワーが所望の動作レンジにないと判定されたときに、前記受信機のＩＦ減衰を調節するステップは、ＩＦミキサが飽和されていないか、圧縮をはるかに下回ると判定されたときに前記ＩＦ減衰を低下するステップを含む、
請求項１記載の方法。
【請求項１２】
受信機に結合されるチューナ及びプロセッサを含む受信機であって、
前記チューナは、ＲＦ  ＡＧＣ及びＲＦピーク検出器を含むＲＦセクションと、ＩＦ  ＡＧＣ及びＩＦピーク検出器を含むＩＦセクションとを有し、
前記プロセッサは、
前記ＲＦピーク検出器を使用して、前記ＲＦセクションの前記ＲＦ信号のパワーが所望の動作レンジにあるかを判定し、
前記ＲＦ信号のパワーが所望の動作レンジにないと判定されたとき、前記受信機のＲＦ減衰を調節するために前記ＲＦ  ＡＧＣを調節し、
ＩＦピーク検出器を使用して、前記ＩＦセクションのＩＦ信号のパワーが所望の動作レンジにあるかを判定し、
前記ＩＦ信号のパワーが所望の動作レンジにないと判定されたとき、前記受信機のＩＦ減衰を調節するために前記ＩＦ  ＡＧＣを調節するために構成される、受信機。
【請求項１３】
前記プロセッサは、
測定されたピークパワーに基づいて、前記ＲＦ信号のパワーが閾値を超えるかを判定し、前記閾値を超える前記ＲＦ信号のパワーのＲＦ減衰を低減するために前記ＲＦ  ＡＧＣを調節するために構成される、
請求項１２記載の受信機。
【請求項１４】
前記プロセッサは、
測定されたピークパワーに基づいて、前記ＲＦ信号のパワーが閾値を下回るかを判定し、前記閾値を下回る前記ＲＦ信号のパワーのＲＦ減衰を増加するために前記ＲＦ  ＡＧＣを調節するために構成される、
請求項１２記載の受信機。
【請求項１５】
前記プロセッサは、
測定されたピークパワーに基づいて、前記ＩＦ信号のパワーが閾値を超えるかを判定し、前記閾値を超える前記ＩＦ信号のパワーのＩＦ減衰を低減するために前記ＩＦ  ＡＧＣを調節するために構成される、
請求項１２記載の受信機。
【請求項１６】
前記プロセッサは、
測定されたピークパワーに基づいて、前記ＩＦ信号のパワーが閾値を下回るかを判定し、前記閾値を下回る前記ＩＦ信号のパワーのＩＦ減衰を増加するために前記ＩＦ  ＡＧＣを調節するために構成される、
請求項１２記載の受信機。
【請求項１７】
可変利得増幅器を更に有し、
前記プロセッサは、
前記ＲＦ及び／又はＩＦ減衰が調節されたときは何時でも、当該受信機の出力がフルスケールであることを保証するために前記出力での信号利得を調節するため、前記可変利得の増幅器の利得を調節するために更に構成される、
請求項１２記載の受信機。
【請求項１８】
前記プロセッサは、
前記チューナがハイパワーモードにあるか、ロウパワーモードにあるかを判定し、前記チューナがハイパワーモードにあるか、又はロウパワーモードにあるかに関する判定に基づいて、前記ＲＦ信号のパワー及び前記ＩＦ信号のパワーが所望の動作レンジにあるかを判定するために使用される閾値を調節するために構成される、
請求項１２記載の受信機。
【請求項１９】
前記チューナがハイパワーモードにあるか、ロウパワーモードにあるかに関する判定は、前記ＲＦピーク検出器及び／又は前記ＩＦピーク検出器を使用して信号のピークパワーを測定し、測定された信号のピークパワーを閾値に比較することを含む、
請求項１８記載の受信機。
【請求項２０】
前記チューナがハイパワーモードにあるか、ロウパワーモードにあるかに関する判定は、Ｕ／Ｄ比を判定し、判定されたＵ／Ｄが０ｄＢ以下であるか、０ｄＢに等しい場合に、前記チューナがロウパワーモードにあると判定することを含む、
請求項１９記載の受信機。
【請求項２１】
受信機の帯域幅を調節する方法であって、
前記受信機により出力された信号の信号対雑音比が所望の動作レンジにあるかを判定するステップと、
前記信号対雑音比が所望の動作レンジにないと判定されたとき、隣接チャネルの干渉が前記信号に存在するかを判定するステップと、
前記隣接チャネルの干渉が存在すると判定されたとき、前記受信機の帯域幅を狭くするステップと、
隣接チャネルの干渉が存在しないと判定されたとき、群遅延歪みが存在するかを判定するステップと、
群遅延歪みが存在すると判定されたとき、前記受信機の帯域幅を増加するステップと、
を含む方法。
【請求項２２】
動作モードを判定するステップと、
判定された動作モードに基づいて、前記受信機の帯域幅を調節するステップと、
を更に含む請求項２１記載の方法。
【請求項２３】
前記受信機に結合される受信機とプロセッサを含むチューナであって、
前記受信機は、イメージリジェクションブロックを有し、
前記プロセッサは、
前記受信機により出力された信号の信号対雑音比が所望の動作レンジにあるかを判定し、
前記信号対雑音比が所望の動作レンジにないと判定されたとき、隣接チャネルの干渉が前記信号に存在するかを判定し、
前記隣接チャネルの干渉が存在すると判定されたとき、前記受信機の帯域幅を狭くするように前記イメージリジェクションブロックを制御し、
隣接チャネルの干渉が存在しないと判定されたとき、群遅延歪みが存在するかを判定し、
群遅延歪みが存在すると判定されたとき、前記受信機の帯域幅を増加するように前記イメージリジェクションブロックを制御する、
ために構成される、チューナ。
【請求項２４】
前記イメージリジェクションブロックは、バンドストップフィルタ、ミキサ及びプログラマブルフィルタを有し、
前記プロセッサは、前記プログラマブルフィルタをプログラミングすることで前記イメージリジェクションフィルタを制御するために構成される、
請求項２３記載のチューナ。
【請求項２５】
前記プロセッサは、動作モードを判定し、判定された動作モードに基づいて、前記受信機の帯域幅を調節するために前記イメージリジェクションブロックを制御する、
請求項２４記載のチューナ。
【発明の詳細な説明】
【技術分野】
【０００１】
本発明は、一般にチューナに関し、より詳細には、マルチモード動作向けに構成される集積度の高いチューナに関する。
【背景技術】
【０００２】
テレビジョン又はセットトップボックスにおけるキーコンポーネントはチューナである。チューナは、テレビジョン又はセットトップボックスが異なるチャネルに同調又は選択するのを可能にするコンポーネントである。より詳細には、チューナは、多数のチャネルを受信するために構成される任意のタイプの受信機におけるキーコンポーネントである。したがって、チューナは、望まれないチャネルでの信号をブロック又はフィルタリングしつつ、所望のチャネルにおいて同調するために構成される。また、チューナは、受信された信号をフィルタリングし、望まれない雑音又は干渉信号を阻止又は減衰するために構成される。
【０００３】
明らかに、チューナのパフォーマンスは、テレビジョン又はセットトップボックスの全体のパフォーマンスに影響を及ぼす。たとえば、チューナが、望まれない信号、望まれないチャネル上の信号の阻止又は減衰について良好な機能を果たさない場合、テレビジョン又はセットトップボックスは、「良好な受信」を有さない。良好な受信は、特に高精細テレビジョンによる、クリアプロダクトディファレンシエータ（clear  product  differentiator）であり、問題、及びビデオコンシューマエレクトロニクスに受信品質に関するプロファイルを生じる。チューナは、テレビジョン又はセットトップボックスにおける最も高価なコンポーネントのうちの１つであることがある。したがって、チューナの設計は、コストを低減しつつ、パフォーマンスを改善するための必要により駆動されることがある。低減されたコストは、低減されたサイズ、及び増加されたコンポーネントの集積と結合される。
【０００４】
チューナの集積及び増加されるパフォーマンスの分野で多くのことが行われているが、従来のチューナは、パフォーマンス及び集積の制限をなお受けており、この制限は、従来のチューナのサイズ、コスト及び機能に影響を及ぼし、したがってチューナが最終的に搭載される製品に影響を及ぼす。
【０００５】
図１は、従来の受信機１００を例示する図である。従来の受信機は、例示される以外の更なるコンポーネントを有することが理解される。かかるコンポーネントは公知であるが、以下の説明には関係がなく、したがって明確さのために省略される。受信機１００は、たとえばケーブル又は地上波テレビジョン又はセットトップボックスに含まれる。受信機１００は、マルチチャネル信号が受信されるアンテナ又はケーブル入力と直接にインタフェースされることがある。
【０００６】
従来のレシーバは、ケーブル及び地上波用途の両者について様々なデジタル及びアナログ規格のうちの１つに従って動作するために構成される。適用可能な規格は、システムの全体の帯域幅及びチャネルスキームを定義する。言い換えれば、それぞれのシステムは、所定の帯域幅が割り当てられる。次いで、その帯域幅は、所定の数のチャネルに分割される。次いで、それぞれのチャネルは、チャネル帯域幅、搬送波周波数、又は複数の搬送波周波数により定義される。
【０００７】
たとえば、標準的なブロードキャスト地上波システムでは、チャネル２−１３は、５４ＭＨｚ〜２１６ＭＨｚに及ぶＶＨＦ帯域にあり、チャネル１４−８３は、４１０ＭＨｚから８９０ＭＨｚに及ぶＵＨＦ帯域にある。ＵＨＦ帯域及びＶＨＦ帯域は、周波数スペクトルの無線周波（ＲＦ）部分にある。標準的なブロードキャスト地上波システムにおけるそれぞれのチャネルは、６ＭＨｚ帯域幅を有し、すなわちＶＨＦ及びＵＨＦ帯域は、複数の６ＭＨｚチャネルに分割される。次いで、それぞれのチャネルは、ビデオデータ向けキャリア、カラーデータ向けキャリア及びオーディオデータ向けキャリアといった３つの搬送波と関連付けされる。ビデオキャリアは、低いバンドエッジを超える１．２５ＭＨｚに位置され、カラーキャリアは、ビデオキャリアを超える３．８ＭＨｚに位置され、オーディオキャリアは、ビデオキャリアを超える４．５ＭＨｚに位置される。
【０００８】
受信機１００のような従来の受信機は、フロントエンドチューナ１０２、プロセッサ１０４を含む幾つかのコンポーネント、及び、たとえば外部フィルタ１１４及び１２０を含む幾つかの他のコンポーネントを含むことがある。チューナ１０２は、ＲＦステージ１２２及び中間周波（ＩＦ）ステージ１２４、及び低いＩＦステージ１２６といった３つのステージを典型的に含む。ＲＦステージ１２２は、たとえばＶＨＦ帯域及びＵＨＦ帯域において、ＲＦ信号を受信し、ＲＦ信号を更なる処理のためにＩＦ信号に変換するために構成される。チューナ１０２のような多くの従来のチューナは、ＲＦ信号を高いＩＦにアップコンバートし、チューナ１０２への入力で必要とされるフィルタリングの量を低減する。ＩＦセクション１２４では、ＩＦ信号を、プロセッサ１０４による更なる処理のために低いＩＦ信号に変換するために構成される。プロセッサ１０４は、たとえばビデオ、カラー及びオーディオデータといった実際のデータを回復するため、低いＩＦ信号を復調するために構成される。他の実現では、復調器は、プロセッサ１０４から分離される。
【０００９】
ＲＦセクション１２２では、受信された信号は、バンドパスフィルタ１０６を使用してはじめにフィルタリングされ、このフィルタは、所望の帯域幅又はチャネルのレンジ外の望まれない信号を除去又は減衰するために構成される。フィルタリングされた信号は、低雑音増幅器（ＬＮＡ）１０８に通過されることがある。ＬＮＡ１０８は、増幅された信号に非常に僅かな雑音を加えつつ、低い電力信号を増幅することで非常に低い電力信号の受信に役立つ。次いで、増幅された信号は、典型的に、自動利得制御（ＡＧＣ）増幅器１１０により増幅される。ＡＧＣ１１０の利得は、たとえば、プロセッサ１０４により制御される。次いで、信号は、ミキサ１１２によりＩＦ信号に変換される。ミキサ１１２は、受信されたＲＦ信号を局部発振器（ＬＯ）信号と結合し、所望のＩＦ信号を生成するように構成される。ＬＯ信号は、所望のチャネルに基づいて適切な周波数に同調される。
【００１０】
次いで、ＩＦ信号は、ＩＦセクション１２４においてフィルタ１１４によりフィルタリングされる。フィルタ１１４は、典型的に表面弾性波（ＳＡＷ）フィルタである。ＳＡＷフィルタは多くの利点を有する一方で、それらのサイズ及び構成は、たとえばチューナといった他のコンポーネントとの集積を妨げる。次いで、フィルタリングされた信号は、ミキサ１１８により低いＩＦに混合され、このミキサは、ＩＦ信号をＩＦ  ＬＯ信号と結合する。ＩＦ  ＬＯ信号は、所望のチャネルに基づいて適切な周波数に同調される。
【００１１】
次いで、低いＩＦ信号は、フィルタ１２０によりフィルタリングされて、低いＩＦセクション１２６において望まれない画像信号を除き、最終的にプロセッサ１０４に送出する。さらに、フィルタ１２０は、外部のＳＡＷフィルタであることがある。次いで、信号は、ＡＧＣ１１６により増幅される。
【発明の開示】
【発明が解決しようとする課題】
【００１２】
上述されたように、チューナ１０２のような従来のチューナは、幾つかの制限に苦しむ。たとえば、従来のチューナは、用途及び規格に特化してＩＦセクション又は低いＩＤセクションにおいて外部のＳＡＷフィルタを有する。言い換えれば、たとえばフィルタ１２０の帯域幅は、チューナ１００が実現するために構成される規格に基づいて定義される。たとえば、米国では、ＴＶ及びデジタルケーブルチャネルは、適切なＳＡＷフィルタは６ＭＨｚフィルタであるように６ＭＨｚ離れており、欧州では、ＴＶ及びデジタルケーブルチャネルは、適切なＳＡＷフィルタは８ＭＨｚであるように８ＭＨｚ離れている。結果として、６ＭＨｚＳＡＷフィルタにより米国において機能するために設計されたチューナは、欧州において機能するために設計されたチューナとして機能せず、その逆も同様である。結果として、チューナの製造業者は、エンドマーケットに依存して異なるＴＶチューナを構築する必要があり、世界の如何なる場所で使用するための単一のシェルフチューナを構築することができない。
【００１３】
さらに、従来のチューナでは、ＲＦ及び、たとえばＡＧＣ１１０及び１１２のそれぞれといったＩＦ  ＡＧＣが使用され、チューナへの入力での信号のパワーレベルに関わらず、低いＩＦ信号のパワーレベルを固定された値に調節する。従来のチューナは、いわゆるテイクオーバポイントアルゴリズムを使用して、対応する規格のダイナミックレンジにわたりＲＦ  ＡＧＣ及びＩＦ  ＡＧＣを調節する。この技術は実現するのにシンプルであるが、柔軟性を欠き、特に地上波の用途で様々な異なるＲＦ環境の下で最適なパフォーマンスを下回る結果となる。
【００１４】
たとえば、テイクオーバポイント技術は、固定され、チューナについて予め定義されたＲＦの状況を想定し、次いで、この想定された状況についてＲＦ及びＩＦ  ＡＧＣ設定を最適化する。しばしば、想定される状況は、受信機が粗悪なケースの状況下で機能することを保証するために粗悪なケースの状況である。チューナが異なるＲＦの状況を経験する場合、想定される状況は、明白に誤りとなる。これは、ＡＧＣ設定が実際の状況について最適化されないので、実際に、パフォーマンスに悪影響を及ぼす。ＡＧＣのテイクオーバポイントについて想定される状況が粗悪なケースの状況である場合、チューナは、大部分の時間で良好な状況を受ける。結果として、従来のチューナのパフォーマンスは、大部分の状況下で最適化されず、チューナの出力での信号対雑音比（ＳＮＲ）が、実際の状況についてテイクオーバポイントが調節されていた場合にチューナが伝達することができるＳＮＲではない可能性が高くなる。従来のチューナにおけるテイクオーバポイントを調節することができないことは、ＲＦ環境が位置から位置へ、時間から時間へと変動する地上波の用途において特に悪影響を有する可能性がある。
【課題を解決するための手段】
【００１５】
実際の動作状況下でＩＦ及びＲＦ  ＡＧＣの動的な調節を含むチューナは、広い範囲の動作状況下で改善されたＳＮＲ及びチューナの最適化を可能にする。チューナは、動作の間にＳＮＲを測定し、次いでＳＮＲを最適化するためにＩＦ及びＲＦ  ＡＧＣ値を調節するために構成される。
【００１６】
別の態様では、チューナは、集積されたＩＦバンドパスフィルタを含み、その帯域幅は、異なる規格についてプログラムされる。
【００１７】
本発明のこれらの特徴、態様及び実施の形態、並びに他の特徴、態様及び実施の形態は、発明を実施するための最良の形態と題されたセクションで以下に記載される。
【発明を実施するための最良の形態】
【００１８】
本発明の特徴、態様及び実施の形態は、添付図面を参照して記載される。  
図２は、本明細書で記載されるシステム及び方法に従って構成される例示的な受信機２００を示す図である。本明細書で記載される実施の形態では、受信機２００は、テレビジョン又はセットトップボックスの一部であることが想定されるが、受信機２００は、他のタイプの用途向けに設計された受信機とすることができることが明らかである。したがって、図２の実施の形態、及び後続する説明は、特定の用途又はアーキテクチャに本明細書の実施の形態を制限するものとして見られるべきではない。
【００１９】
受信機２００は、チューナ２０２、外部フィルタ２１６及びプロセッサ２０４を有する。受信機２００により受信された信号は、はじめにＬＮＡ２０６により増幅され、次いでＲＦ  ＡＧＣ２０８により増幅され、ＲＦ  ＡＧＣは、以下に記載されるようにプロセッサ２０４の制御下にある。増幅された信号は、ピーク検出器２１０に送出され、この検出器の動作も以下に詳細に記載される。ピーク検出器２１０の後、信号は、ミキサ２１２でＲＦ  ＬＯ信号と混合されてＩＦ信号に変換され、このＩＦ信号は、フィルタ２１４及び２１６を介してフィルタリングされる。次いで、フィルタリングされた信号は、以下に記載されるように、プロセッサ２０４の制御下でＩＦ  ＡＧＣ２１８により増幅される。増幅された信号は、第二のピーク検出器２２０に送出される。
【００２０】
ピーク検出器２２０の後、信号は、ミキサ２２６を介して低いＩＦ信号に変換される。所定の実施の形態では、受信機２０２は、ミキサ２２６を含むイメージリジェクションブロック２２２を有する。イメージリジェクションブロック２２２の動作は、以下に更に詳細に説明される。低いＩＦ信号は、プロセッサ２０４に送出される前に、可変利得増幅器（ＶＧＡ）２３０により増幅される。以下に説明されるように、プロセッサ２０４は、プロセッサ２０４による更なる処理のために低いＩＦ信号をベースバンド信号に変換するために復調器を必要とする。
【００２１】
記載されるように、本質的に３つのＡＧＣが受信機２００内に存在し、すなわちＲＦ  ＡＧＣ２０８、ＩＦ  ＡＧＣ２１８及びＶＧＡ２３０である。これらＡＧＣは、所定の実施の形態では、３ワイヤ制御インタフェースを介してデジタルプロセッサ２０４から制御される。他の実施の形態では、ＡＧＣは、２ワイヤ制御インタフェースを介してデジタルプロセッサ２０４から制御される。かかる実施の形態では、ＩＦ  ＡＧＣ２１８及びＶＧＡ２３０は、同じ外部の制御電圧で制御される。代替的に、ＩＦ  ＡＧＣ２１８又はＶＧＡ２３０は、ＶＧＡ２３０が外部制御されるかに依存して、たとえば４オプションにより予め定義された値に固定され、その逆も同様である。または、別の実施の形態では、ＩＦ  ＡＧＣ及びＶＧＡの両者は、Ｉ２Ｃプログラミングラインを介して４オプションにより予め定義された値に固定される。
【００２２】
従来の受信機とは異なり、プロセッサ２０４は、粗悪なケースの状況のような想定される状況とは対照的に、経験される実際のＲＦ環境のＳＮＲパフォーマンスを最適化するために設計される認識に基づいたアルゴリズムを実現するために構成される。これは、ＲＦ環境及び所望の信号に対する望まれない信号の比率が未知であり、位置から位置及び／又は時間から時間に変化する、特に地上波の用途においてパフォーマンスを改善するために有効である。一般に、考えは、受信機２００の出力でのＳＮＲが最大となるように、後続のミキサ２１２及び／又は２２６のそれぞれを飽和又は圧縮することなしに、ＲＦ  ＡＧＣ２０８及びＩＦ  ＡＧＣ２１８の電圧値を最適化することである。
【００２３】
ＲＦ及びＩＦ  ＡＧＣ電圧値を調節することが望まれ、結果として、チューナゲイン設定を調節することが望まれ、これにより、ＩＦ出力レベルは、ＲＦ入力レベルに関わらず、復調器への所与のフルスケール（ＦＳ）入力にある。従来のテイクオーバポイントアルゴリズムを使用した従来のチューナでは、ＲＦ入力信号が受信機のノイズフロアに非常に近いとき、復調器は、一定の予め定義された値でＲＦ  ＡＧＣを維持しつつ、ＩＦ  ＡＧＣ電圧値を調節する。ＲＦ入力信号レベルが増加すると、復調器は、ＲＦ  ＡＧＣテイクオーバポイントと呼ばれることがある閾値又は予め定義されたＩＦ  ＡＧＣ電圧に到達するまで、ＩＦ  ＡＧＣを調節し続ける。ＲＦ  ＡＧＣテイクオーバポイントは、受信機のフロントエンドが所与のＲＦ入力レベルについて飽和されないことを保証するＲＦ  ＡＧＣの減衰レベルを判定することで典型的に定義される。
【００２４】
以下、更にＲＦ入力信号レベルを増加することで、ＲＦ  ＡＧＣテイクオーバポイントにひとたび到達すると、復調器は、所望のＩＦ出力レベルを達成するために一定のＩＦ  ＡＧＣ電圧を維持しつつ、ＲＦ  ＡＧＣ電圧を調節し始める。したがって、チューナの出力ＳＮＲを調節する自由度は、ＲＦ  ＡＧＣテイクオーバポイントのみである。しかし記載されたように、この値は、典型的に想定される粗悪なケースの状況に基づいており、多数の動作状況下での最終的なパフォーマンス以下となる。したがって、本明細書で記載されるシステム及び方法に従って実現される認識に基づいたアルゴリズムにより、広い動作状況のレンジにわたり良好な最適化となる。
【００２５】
図２の実施の形態では、受信機２００は、ヘテロダイン受信機であるが、本明細書で記載されるシステム及び方法は、アーキテクチャにおいてヘテロダイン又はホモダインである受信機及び／又はチューナに適用される。結果として、受信機のステージの数及びタイプと同様に、存在するＡＧＣの数は変動するが、本明細書で記載されるシステム及び方法に係るパフォーマンスを最適化するために使用される認識に基づいたアルゴリズムを適用することもできる。ＲＦ  ＡＧＣ２０８及びＩＦ  ＡＧＣ２１８に加えて、チューナ２０２は、ＶＧＡ２３０をも含む。言い換えれば、以下に記載される認識に基づいたアルゴリズムを実現するプロセッサ２０４の制御下で３つのＡＧＣが本質的に存在する。認識に基づいたアルゴリズムは、ＳＮＲが最大にされ、ＲＦミキサ２１２が飽和されないことを保証するように、ＲＦ  ＡＧＣを制御するために設計される。同様に、ＩＦ  ＡＧＣ２１８は、ＩＦミキサ２２６が飽和されないことを保証するために制御される。
【００２６】
図５は、本明細書で記載された認識に基づいたアルゴリズムのハイレベルの実施の形態を示すフローチャートである。図５のプロセスは、チューナ／受信機の出力でのＳＮＲの最適化を保証するため、プロセッサ２０４の制御下で実現される。はじめに、ステップ５０２、ＲＦ信号レベルが測定し、たとえば、ＲＦミキサ２１２に入力するＲＦ信号のピーク電力強度が測定される。ステップ５０４では、ＲＦ信号レベルが所望の動作レンジ内にあるかが判定される。ステップ５０４でＲＦ信号レベルが所望のレンジ外にあると判定された場合、ステップ５０６で信号レベルが調節され、たとえば、ＲＦ  ＡＧＣ２０８は、ＲＦ信号レベルを所望のレンジ内にするように制御される。
【００２７】
ひとたびＲＦ信号が所望のレンジ内にあると、ステップ５０８でＩＦ信号レベルは測定される。たとえば、ＩＦミキサ２２６に入力するＩＦ信号のピークの電力強度は、たとえばピーク検出器２２０を介して測定される。ステップ５１０では、ＩＦ信号レベルは所望の動作レンジ内にあるかが判定される。ステップ５１０でＩＦ信号レベルが所望の動作レンジ内にあると判定された場合、ステップ５１２で信号レベルが調節され、たとえば、ＩＦ  ＡＧＣ２１８は、ＩＦ信号レベルが所望のレンジ内にあるように制御される。ひとたびＩＦ信号レベルは所望のレンジ内にあると、ステップ５１４でＩＦ出力が測定され、ステップ５１８でＩＦ出力がフルスケールであるかに関して判定が行われる。フルスケールでない場合、ステップ５１６で、ＩＦ出力をフルスケールにするために、たとえばＩＦ  ＶＧＡ２３０を介してＩＦ出力が調節される。
【００２８】
このように、ミキサは飽和されていないが、歪みなしで許容することができる信号の最高レベルに近い信号で動作する。結果として、すなわち最適な３次インターセプトポイント（ＩＩＩＰ３）及び雑音指数（ＮＦ）が同時に達成されるとき、ミキサは、それら最適なＳＮＲパフォーマンス設定である。
【００２９】
図２の例では、ピーク検出器２１０及び２２０は、ミキサに入力する信号のピークの電力強度を判定するために使用される。このことは、ＡＧＣ調節が幾つかの想定される、たとえば粗悪なケースのシナリオよりはむしろ動作条件に基づくという利点を有する。所定の実施の形態では、ＲＦピーク検出器２１０は、ブロードバンドであり、ＩＦピーク検出器２２０は、外部のＳＡＷバンドパスフィルタと同様に広い。たとえば、１つの特定の実現では、ピーク検出器２１０及び２２０は、それぞれ１３５及び３チャネルの幅である。かかる例では、測定されたパワーは所望の信号のみによるか、又は所望の信号及び望まれない信号の組み合わせ、たとえば隣接するチャネル信号によるかは未知である。結果として、隣接チャネルの所望の信号（Desired  signal）に対する望まれない信号（Undesired  signal）の比率（Ｕ／Ｄ）を判定するため、更なるデータが必要とされる。さらに、出力ＳＮＲは最大にされる必要があるので、調節が所望の効果を有することを保証するため、ＡＧＣのそれぞれの調節の後に、チューナ２０２の出力での信号のＳＮＲをモニタするために構成されるチューナ２０２の後に、ＳＮＲ検出器を有することが好ましい。
【００３０】
まさに記載されるＳＮＲ検出器は、プロセッサ２０４に含むか、又はチューナ２０２に後続する復調器に含むことができる。図３は、本明細書で記載されるシステム及び方法の１実施の形態にかかる、プロセッサ２０４又は復調回路に含まれる機能ブロックを示す図である。かかるプロセッサ又は復調器は、明確さのためにここでは図示されない他のブロックを含むことが明らかである。
【００３１】
図３に示されるようにプロセッサ２０４は、受信機２０２から受信された低いＩＦ信号をデジタル信号に変換するために構成されるアナログ−デジタルコンバータ（ＡＤＣ）３０２を有する。次いで、デジタルダウンコンバータ（ＤＤＣ）３０４において低いＩＦ信号を生成するためにチューナ２０２が構成される実施の形態では、デジタル信号は、ベースバンドデジタル信号にダウンコンバートされる。次いで、ダウンコンバートされた信号は、たとえばデジタルロウバスフィルタ（ＤＬＰＦ）３０６を介してフィルタリングされる。また、プロセッサ２０４は、その動作が以下に更に詳細に記載されるデジタル自動利得制御（ＤＡＧＣ）３０８、及び、本実施の形態では記載されないが入力信号の適切な復調のために必要とされる全ての他のブロックを含むデジタル信号処理（ＤＳＰ）ブロック３１０を有する。また、プロセッサ２０４は、入力信号のＳＮＲをサンプリングするために構成されるＳＮＲ検出器３１２を含む。また、プロセッサ２０４は、一般的なサンプリングクロック３１４を有する。
【００３２】
図２の実施の形態では、ＲＦピーク検出器２１０は、ＲＦ  ＡＧＣ２０８の後であってミキサ２１２の前にある。さらに、イメージリジェクションフィルタ（図示せず）もまた、ピーク検出器に後続し、すなわちイメージリジェクションフィルタは、ミキサ２１２に先行する。したがって、ＲＦピーク検出器２１０の前に選択性がない。かかる状況では、ピーク検出器２１０は、受信されているブロードバンド信号のピークのパワーレベルを測定する。
【００３３】
さらに、ＩＦピーク検出器２２０は、ＩＦ  ＡＧＣ２１８に続くが、イメージリジェクションブロック２２２に含まれるＩＦミキサ２２６及びバンドストップフィルタ２２４に先行する。ＩＦピーク検出器２２０もフィルタ２１６に続き、このフィルタは、ＳＡＷフィルタのような狭いバンドパスフィルタである。１実施の形態では、たとえばＳＡＷフィルタは、１２２０ＭＨｚでセンタリングされ、３チャネルの幅である。したがって、ＩＦピーク検出器２２０は、たとえば１２２０ＭＨｚでセンタリングされる３チャネルについてピークパワーレベルを測定する。言い換えれば、ピーク検出器２２０は、１つの所望のチャネル及びＮ±１の隣接する望まれないチャネルについてパワーレベルを測定する。
【００３４】
ＤＡＧＣ３０８は、所望の信号をフルスケールにするため、デジタルゲインをＤＤＣ３０４により生成された信号に与えるために構成される。このデジタルゲインは、Ｎ±１のチャネルの残りのみがＡＤＣに到達することができるので、（Ｕ／Ｄ）N±1の比率に等価である。したがって、所望の信号をフルスケールにするためにゲインが調節されるときは何時でも、（Ｕ／Ｄ）N±1の比率は、ＤＡＧＣ３０８から決定することができる。（Ｕ／Ｄ）の比率は、以下に記載されるように使用される。
【００３５】
１実施の形態では、ピーク検出器２１０及び２２０からのパワーレベルの測定値は、ＲＦ  ＡＧＣ２０８、ＩＦ  ＡＧＣ２１８及び／又はＶＧＡ２３０を制御するために使用される。たとえば、ピーク検出器の測定値は、閾値に比較される。比較の結果に依存して、様々なＡＧＣのゲインは、ＳＮＲが最適化されたこと、及びミキサが飽和されていないことを保証するために調節される。１つの特定の実施の形態では、たとえば、ＲＦ及びＩＦピーク検出器２１０及び２１２のそれぞれは、４つの閾値レベルを有する。閾値は、ハイパワーモードとロウパワーモードといった２つのモードの間で分割することができる。たとえば、以下の閾値を使用することができる。
【００３６】
【表１】
2009512273.tif 000003
これらの値は、例示されるようにバイナリ値に関連される。次いで、値は、たとえば図示されるように降順の電圧でＩ2Ｃ制御ラインを介してプログラムされる。図６は、本明細書で記載されるシステム及び方法の１実施の形態に係る、ハイパワーモードにおけるチューナ２０２のＡＧＣを制御する例示的な方法を示すフローチャートである。幾つかの変数は、図６の例において使用される。これらの変数は、“rf_pd_en”、“rf_pd_level”、“if_pd_en”、“if_pd_level”及び“if_out_level”を含む。変数“rf_pd_en”は、ＲＦピーク検出器２１０をイネーブルにするために使用される。同様に、変数“if_pd_en”は、ＩＦピーク検出器２２０をイネーブルにするために使用される。変数“rf_pd_level”及び“if_pd_level”は、ＲＦ及びＩＦピーク検出器２１０及び２２０のそれぞれを使用して決定されたレベルに関連する値を記憶するために使用される。変数“if_out_level”は、ＶＧＡ２３０の出力に関連する値を記憶するために使用される。
【００３７】
これにより、図６のプロセスは、ステップ６０２で、変数“rf_pd_en”の設定により開始する。たとえば、変数“rf_pd_en”は、ＲＦピーク検出器２１０の読み取りをイネーブルにするために“１”に設定される。ステップ６０４で、変数“rf_pd_level”は“００”に設定され、ステップ６０６で、実際のＲＦレベルが読取られる。ＲＦレベルは、“１”及び“０”のようなバイナリ値に関連する。“１”は、“００”といった関連されるレベルを超えることを示すことができ、“０”は、たとえば“００”といった関連されるレベル以下であることを示すことができる。したがって、ステップ６０６でレベルが“１”である場合、ステップ６０８で、たとえばＲＦ  ＡＧＣ２０８の制御を介して、ＲＦ減衰は増加される。他方で、ステップ６０６でレベルが“０”である場合、変数“if_pd_level”は、たとえば“０１”といった次のレベルに設定することができる。
【００３８】
ステップ６１２で、実際のＲＦレベルが読取られる。このとき、レベルが“０”である場合、ステップ６１４でＲＦ減衰が減少し、他方で、ＲＦレベルが“１”である場合、ステップ６１６で“if_pd_en”はたとえば“１”に設定され、ステップ６１８で“if_pd_level”は“００”に設定される。次いで、ステップ６２０で、ＩＦレベルが読取られる。ステップ６２０で判定されたとき、ＩＦレベルが“１”である場合、ステップ６２２で、たとえばＩＦ  ＡＧＣ２０２の制御を介してＩＦ減衰が増加される。ＩＦレベルが“０”である場合、ステップ６２４で、“if_pd_level”は、“０１”に設定され、ステップ６２６で、ＲＦレベルが読取られる。ＲＦレベルが“０”である場合、ステップ６２８で、ＲＦ減衰が減少する。ステップ６２６で判定されたとき、ＲＦレベルが“１”である場合、ステップ６３０でＩＦ出力レベルが読取られる。ＩＦ出力レベルがフルスケール（ＦＳ）である場合、プロセスが終了する。ＩＦ出力レベルがＦＳではない場合、ステップ６３２で、ＶＧＡ２３０の制御電圧が減少する。
【００３９】
上述されたように、本明細書に記載されるシステム及び方法に従って動作するために構成される受信機／チューナは、幾つかのパワーモードで動作するために構成され、この場合、それぞれのモードは、ＡＧＣの動作及び制御についてそれ自身に関連する閾値を有する。たとえば、表１に関して記載される実施の形態では、チューナは、ハイパワーモードとロウパワーモードといった２つの動作モードを有する。図６のフローチャートは、ハイパワーモードにおける例示的な動作を示す。図７は、本明細書で記載されるシステム及び方法の１実施の形態に係る、ハイパワーモードからロウパワーモードへの切換の例示的な方法を示すフローチャートである。
【００４０】
ハイパワーモードは、完全にロードされた入力ＲＦスペクトルがチューナにより処理されることが期待されるモードである。ロウパワーモードは、チューナが弱い所望の信号のみを処理することが期待されるモードである。所定の実施の形態では、パワーモード間の切換は、チャネル切換の間に許容される。ロウパワーモードに切り換えるため、チューナは、入力信号が「弱い“weak”」及び「所望“desired”」のみであることを保証することが必要である。ステップ７０２で、信号の弱さ又は強度は、ＲＦ及びＩＦピーク検出器２１０及び２１２のそれぞれにより測定することができる。ステップ７０４では、測定された信号パワーは“１０”値以下であると判定された場合、信号は弱いと考えられるが、測定された信号パワーは、完全に所望の信号によらない場合がある。言い換えれば、測定された信号の幾らかの部分は、望まれない信号による可能性がある。
【００４１】
ＤＬＰＦ３０６によりデジタルロウパスフィルタリングの後、ＤＡＧＣ３０８は、信号レベルがフルスケールにあることを保証するため、デジタルゲインを調節するために構成される。ＤＡＧＣ３０８からのデジタルゲインは、電圧比（Ｕ／Ｄ）N±1にダイレクトに比例する。したがって、ステップ７０６で、比率（Ｕ／Ｄ）N±1は、ＤＡＧＣ３０８から決定される。
【００４２】
したがって、ステップ７０６で、（Ｕ／Ｄ）N±1＜０ｄＢであると判定された場合、ステップ７０６で、信号に望まれない信号成分が存在しないと判定される。この判定された状況下で、ステップ７０８で、チューナは、ロウパワーモードにスイッチされる。
【００４３】
ステップ７００で、（Ｕ／Ｄ）N±1＝０ｄＢであると判定された場合、ステップ７１０で、チューナへの入力信号が、均等に、隣接するチャネルの信号によるものと、所望のチャネルの信号によるものと判定される。この判定された状況下で、ステップ７０８で、チューナは、ロウパワーモードにスイッチされる。
【００４４】
ステップ７１２で、（Ｕ／Ｄ）N±1＞０ｄＢであると判定された場合、ステップ７１２で、チューナへの入力信号は、大部分が隣接チャネルによりものであって、所望のチャネルによるものではないと判定される。この判定された状況下で、ステップ７１４で、チューナは、ハイパワーモードのままとなるように制御される。
【００４５】
図８は、本明細書で記載されるシステム及び方法の１実施の形態に係る、ロウパワーモードにおけるチューナ２０２のＡＧＣを制御する例示的な方法を示すフローチャートである。はじめに、ステップ８０２で、ＡＧＣを調節するため、プロセッサ２０４は、ＲＦピーク検出器２１０により供給される測定値を調べるために構成される。ステップ８０４及び８０８で判定されたとき、測定値は、“１０”に関連する値以下であるが、“１１“を超える場合、プロセッサ２０４は、ＲＦ減衰レベルをそのまま単に維持するために構成される。ステップ８０４で、ＲＦピーク検出器２０８からの測定値が“１０”値を超えると判定された場合、ステップ８０６で、プロセッサ２０４は、測定されたパワーを再び“１０”と“１１”値の間にするため、ＲＦ  ＡＧＣ２０８を調節するために構成される。ステップ８０８で、測定されたＲＦパワーが“１１”以下であると判定された場合、ステップ８１０で、プロセッサ２０４は、ＲＦ  ＡＧＣ２０８を制御して、ＲＦ減衰を低減し、測定されたパワーを再び“１０”と“１１”値の間にするために構成される。
【００４６】
ステップ８１２で、プロセッサ２０４は、ＩＦピーク検出器２２０により供給される測定値をチェックするために構成される。ステップ８１４及び８１８で判定されるように、測定値が“１０”値以下であるが、“値を超える“１１場合、プロセッサ２０４は、ＩＦ減衰を単に維持するように構成される。ステップ８１４で、測定パワーが“１０”値を超えると判定された場合、ステップ８１６で、プロセッサ２０４は、測定された値を再び“１０”と“１１”値の間にするため、ＩＦ  ＡＧＣ２１８を制御するように構成される。ステップ８１８で、測定されたパワーが“１１”値以下であると判定された場合、ステップ８２０で、プロセッサ２０４は、測定された値を再び“１０”と“１１”値の間にするため、ＩＦ  ＡＧＣ２１８を制御するために構成される。
【００４７】
ステップ８２４で、プロセッサ２０４は、ＶＧＡ２３０を調節するために構成され、これにより、チューナ２０２の出力での信号は、ステップ８２２で判定されるようにＡＧＣのそれぞれの調節の後にフルスケールとなる。さらに、所定の実施の形態では、ＳＮＲ検出器３１２は、所望の結果が得られたことを確かめるため、ＡＧＣ設定における変化の前後でモニタされる。
【００４８】
絶命されたように、チューナ２０２は、イメージリジェクションブロック２２２を有する。イメージリジェクションブロックは、バンドストップフィルタ２２４、ＩＦミキサ２２６、バンドストップフィルタ２２７、及びバンドパスフィルタ２２８を有する。フィルタ２２４、２２７及び２２８は、プログラマブルな帯域幅をもつ等価なバンドパスフィルタとして振舞う。たとえば、１実施の形態では、イメージリジェクションブロック２２２に含まれる等価なバンドパスフィルタの帯域幅は、プロセッサ２０４により直接に制御される。他の実施の形態では、個別のコントローラは、イメージリジェクションブロック２２２の帯域幅を制御するために含まれる。たとえば、１実現では、バンドパスフィルタ２２８は、帯域幅制御信号を受けるため、Ｉ2Ｃ制御入力を含む。
【００４９】
イメージリジェクションブロック２２２を介して制御可能な帯域幅を提供することで、チューナのパフォーマンスが改善され、多数のモードで動作する、すなわち多数の規格に従って動作することができるブローバルなチューナの設計が可能となる。上述されたように、受信機２００は、ケーブル及び地上波システムの両者と同様に、デジタル及びアナログシステムの両者で動作するために構成することができる。したがって、チューナ２００は、たとえば、以下の規格、ＤＯＣＳＩＳ、Ｅｕｒｏ−ＤＯＣＳＩＳ，ＤＶＢ−Ｃ、ＤＶＢ−Ｔ，ＡＴＳＣ、ＮＴＳＣ，ＰＡＬ及びＳＥＣＡＭを実現するために構成される。これらの規格は、異なるチャネル帯域幅を規定するものであり、チューナの設計者に標準的な特定のチューナを設計することを要求する。たとえばイメージリジェクションブロック２２２を介してプログラマブルな帯域幅を組み込むことで、設計者は、単一のグローバルチューナを設計することができる。さらに、従来のチューナで見られる外部フィルタ１２０を除くことができ、これにより、コンポーネントの数を低減し、したがって、従来のチューナに関連するサイズ及びコストの要件が低減される。
【００５０】
さらに、イメージリジェクションブロック２２２により提供される帯域幅のプログラマビリティは、ＳＮＲをさらに最適化するために使用される。たとえば、ＳＮＲは、ＳＮＲ検出器３１２を使用してモニタすることができ、イメージリジェクションブロック２２２の帯域幅は、この測定値に基づいて調節することができる。図９は、本明細書で記載されるシステム及び方法の１実施の形態に係る、チューナ２０２の帯域幅を制御する例示的な方法を示す図である。はじめに、ステップ９０２で、ＳＮＲが決定される。ＳＮＲが不足している場合、ステップ９０４で、乏しいＳＮＲは隣接するチャネル干渉によるものかが判定される。隣接するチャネル干渉が存在する場合、チューナ２０２の線形性に影響し、オ乏しいＳＮＲを引き起こす。このケースでは、たとえば隣接するチャネルを阻止するため、イメージリジェクションブロック２２２の制御を介して、ステップ９１０で、受信機２０２の帯域幅を狭くすることができる。
【００５１】
ステップ９１２で、ＳＮＲが改善されたかが判定される。改善された場合、プロセスが終了する。改善されていない場合、ステップ９０６で、帯域幅は広くされる。
【００５２】
ステップ９０４で、隣接するチャネルがＳＮＲに影響を及ぼさないと判定された場合、ステップ９０６で、乏しいＳＮＲが群遅延歪みによるかが判定される。乏しいＳＮＲが群遅延歪みによる場合、ステップ９０８で、受信機２０２の帯域幅は、群遅延歪みを除くために広くされる。ステップ９１０で、ＳＮＲが改善されたかが判定される。改善された場合、プロセスが終了する。改善されていない場合、ステップ９０８で、帯域幅は狭くされる。
【００５３】
所定の実施の形態では、受信機２０２は、チップフィルタ２１４での比較的広い帯域幅を有し、これにより、受信機２０２の外部にある、たとえば狭帯域のＳＡＷフィルタといった比較的狭帯域のフィルタ２１６の使用が可能となる。
【００５４】
図４は、本明細書で記載されるシステム及び方法に従って構成される受信機４００の詳細な図である。わかるように、受信機４００は、ＲＦ入力（ＲＦ  Ｉｎ）を有しており、このＲｆ入力で受信機４００はＲＦ入力信号を受信する。次いで、ＲＦ信号は、ＲＦピーク検出器４０６により後続されるＲＦ  ＡＧＣ４０４に送出される前に、ＬＮＡ４０２を介して増幅される。わかるように、受信機４００は、異なる信号を使用するが、本明細書で記載されるシステム及び方法はシングルエンド又は異なる信号で実現されることは明らかである。
【００５５】
ピーク検出器４０４の後、信号は、イメージフィルタ４０８によりフィルタリングされ、ミキサ４１０によりＩＦ信号に変換される。次いで、ＩＦ信号は、オンチップフィルタ４１２によりフィルタリングされ、次いでオフチップフィルタ４１４によりフィルタリングされる。説明されたように、オンチップフィルタ４１２は、比較的広い帯域幅を有し、オフチップフィルタ４１４は、比較的狭い帯域幅を有する。
【００５６】
次いで、フィルタリングされたＩＦ信号は、ＩＦ  ＡＧＣ４１６に送出され、次いで、ＩＦピーク検出器４１８に送出される。ＩＦピーク検出器４１８は、バッファ又は固定された利得増幅器４２０により後続される。信号は、イメージリジェクションブロック４５６に送出される。イメージリジェクションブロック４５６は、ＩＦ信号を低いＩＦ信号に変換するために構成される直交ミキサ４２４を有する。イメージリジェクションブロック４５６は、第一のポリフェーズフィルタ４２２及び第二のポリフェーズフィルタ４２６、並びにプログラマブルフィルタ４３０を有する。ＶＧＡ４３４及び４３６のペアは、受信機４００のチューナ部分の出力でイメージリジェクションブロック４５６に後続する。
【００５７】
受信機４００は、チューナ４００のＩＦセクションにおける減衰／利得を制御するために使用されるプロセッサ又はコントローラからの制御信号を受けるために構成されるＩＦ  ＡＧＣ制御回路４３８を有する。また、受信機４００は、ＲＦ  ＡＧＣ４０４０の減衰を制御する制御信号を受信するために構成される入力（ＲＦ  Ａtt）を有する。また、受信機４００は、イメージリジェクションブロック４５６の帯域幅を制御するために構成されるＩＦフィルタチューニング回路４４０を有する。
【００５８】
２つのシンセサイザ４４８及び４４４は、受信機４００に含まれ、ミキサ４１０及び４２４により使用される関連するＲＦ及びＩＦ  ＬＯ信号を発生するために構成される。シンセサイザチューニング回路４４６が含まれ、適切なチャネルについてシンセサイザ４４８及び４４４を同調するために構成される。
【００５９】
また、チューナ４００は、統合されたＵ／Ｃブロックを含むことができる。Ｕ／Ｃブロックは、マルチチューナの用途のケースで構成される。たとえば、第一がＴＶ向け、第二のＶＣＲ向け及び第三がケーブルモデム向けといった、ケーブルＴＶ信号が３つに分割されるときである。次いで、外部ＬＮＡを有し、Ｕ／Ｃブロックを介して内部ＬＮＡ４０２をバイパスすることで、多数のチューナを構成することができる。従来のチューナでは、Ｕ／Ｃブロックは、チューナ４００の外部にある。チューナ４００内にＵ／Ｃブロック４５８を統合することで、サイズ及びコストの要件を低減することができる。
【００６０】
本発明の所定の実施の形態が記載されたが、記載された実施の形態は例示のみであることを理解されたい。したがって、本発明は、記載された実施の形態に基づいて制限されるべきではない。むしろ、本明細書で記載される発明は、先の説明及び添付図面に共に参照されたときに後続する請求項に照らして制限されるのみである。
【図面の簡単な説明】
【００６１】
【図１】例示的な従来のチューナを示す図である。
【図２】１実施の形態に従って構成される例示的なチューナを示す図である。
【図３】１実施の形態に係る図３のチューナに含まれるプロセッサを含むアナログ及び／デジタル復調器の例示的な機能ブロック図である。
【図４】図２のチューナの更に詳細な実現を示す図である。
【図５】１実施の形態に係る図２のチューナのパフォーマンスを最適化する例示的なプロセスを示すフローチャートである。
【図６】図２のチューナに含まれるＡＧＣのゲインを制御する例示的な方法を示すフローチャートである。
【図７】図２のチューナに含まれるＡＧＣのゲインを制御するとき、パワーモード間のスイッチングのために例示的な方法を示すフローチャートである。
【図８】図２のチューナに含まれるＡＧＣのゲインを制御する例示的な方法を示すフローチャートである。
【図９】図２のチューナに含まれる受信機の帯域幅を制御する例示的な方法を示すフローチャートである。
【図１】
2009512273.tif 000004
【図２】
2009512273.tif 000005
【図３】
2009512273.tif 000006
【図４】
2009512273.tif 000007
【図５】
2009512273.tif 000008
【図６】
2009512273.tif 000009
【図７】
2009512273.tif 000010
【図８】
2009512273.tif 000011
【図９】
2009512273.tif 000012
【国際調査報告】
2009512273.tif 000013
2009512273.tif 000014